(57)【要約】【課題】効率の低下を抑制する照明装置を提供する。【解決手段】照明装置１０は、光源２０と、光源２０を点灯させる駆動回路５０と、を備える。駆動回路５０は、整流回路５５と、コンデンサＣ１と、検知回路５６と、調光回路５７と、を有する。コンデンサＣ１は、整流回路５５の出力端子間に接続され、整流回路５５から入力される直流電力を平滑する。検知回路５６は、コンデンサＣ１で平滑された電圧に応じた検知信号を生成する。調光回路５７は、調光器７０にブリーダ電流を供給するブリーダ回路５１を含み、コンデンサＣ１で平滑された直流電圧と、検知信号に基づいて光源２０に電流を供給する。調光回路５７は、閾値電圧を有し、コンデンサＣ１のリップル電圧差と閾値電圧に基づいて調光器７０の接続の有無を判断し、ブリーダ回路５１のオンとオフを制御する。【選択図】図１
2020194744.tif 000002
【特許請求の範囲】
【請求項１】
光源と、
前記光源を点灯させる駆動回路と、を備え、
前記駆動回路は、
交流電力を直流電力に変換する整流回路と、
前記整流回路の出力端子間に接続され、前記整流回路から入力される直流電力を平滑する第１のコンデンサと、
前記第１のコンデンサで平滑された電圧に応じた検知信号を生成する検知回路と、
調光器にブリーダ電流を供給するブリータ回路を含み、前記第１のコンデンサで平滑された前記直流電圧と前記検知信号に基づいて前記光源に電流を供給する調光回路と、を有し、
前記調光回路は、閾値電圧を有し、前記第１のコンデンサのリップル電圧差と前記閾値電圧に基づいて前記駆動回路に前記調光器が接続されているか、接続されていないかを判断し、前記調光器が接続されている場合は前記ブリーダ回路を動作させ、前記調光器が接続されていない場合は前記ブリーダ回路を動作させない、
照明装置。
【請求項２】
前記駆動回路は、ダイオードをさらに有し、
前記ダイオードの入力端子が前記整流回路の高電位側の出力端子に接続され、前記ダイオードの出力端子が前記調光回路に接続されている、請求項１に記載の照明装置。
【請求項３】
前記調光回路は、
前記第１のコンデンサと並列接続され、前記ダイオードを介して入力される直流電力をさらに平滑する第２のコンデンサを有する、請求項２に記載の照明装置。
【請求項４】
前記リップル電圧差は、前記調光器と前記駆動回路との接続による時定数の変化により生じる、請求項１から３のいずれか１項に記載の照明装置。
【発明の詳細な説明】
【技術分野】
【０００１】
本開示は、照明装置に関する。
【背景技術】
【０００２】
近年、ＬＥＤ（Ｌｉｇｈｔ  Ｅｍｉｔｔｉｎｇ  Ｄｉｏｄｅ）等を光源として利用した、低消費電力で長寿命の照明装置が実用化されている。
【０００３】
また、このような照明装置において、位相制御式などの調光器に対応した照明装置も実用化されている（例えば特許文献１）。
【先行技術文献】
【特許文献】
【０００４】
【特許文献１】特許第５５５８６４７号公報
【発明の概要】
【発明が解決しようとする課題】
【０００５】
調光器に対応した照明装置では、調光器を誤作動なく動作させるために照明装置から調光器にブリーダ電流を供給するブリーダ回路が設けられている。そのため、照明装置での電力消費が増加し効率が低下するという課題がある。
【０００６】
本開示は、効率の低下を抑える照明装置を提供することを目的とする。
【課題を解決するための手段】
【０００７】
本開示の一態様に係る照明装置は、光源と、光源を点灯させる駆動回路と、を備える。駆動回路は、整流回路と、第１のコンデンサと、検知回路と、調光回路と、を有する。整流回路は、交流電力を直流電力に平滑する。第１のコンデンサは、整流回路の出力端子間に接続され、整流回路から入力される直流電力を平滑する。検知回路は、第１のコンデンサで平滑された電圧に応じた検知信号を生成する。調光回路は、調光器にブリーダ電流を供給するブリーダ回路を含み、第１のコンデンサで平滑された直流電力と検知信号に基づいて光源に電流を供給する。調光回路は、閾値電圧を有し、第１のコンデンサのリップル電圧差と閾値電圧に基づいて駆動回路に調光器が接続されているか、接続されていないかを判断する。駆動回路は、調光器が接続されている場合はブリーダ回路を動作させ、調光器が接続されていない場合はブリーダ回路を動作させない。
【発明の効果】
【０００８】
本開示に係る照明装置は、第１のコンデンサで平滑されたリップル電圧差と閾値電圧とに基づいて調光器の接続の有無を判断し、ブリーダ回路を開閉する。そのため、調光器の接続がない場合において、ブリーダ回路が動作することによる効率の低下が抑制される。
【図面の簡単な説明】
【０００９】
【図１】実施の形態に係る照明装置の構成を示すブロック図
【図２】調光器で位相制御された交流電圧の波形を示す図
【図３】制御回路によるスイッチング素子の制御を説明するための図
【図４】コンデンサの電圧とブリーダ閾値電圧を示す図
【図５】比較例に係る照明装置の構成を示すブロック図
【図６】比較例に係る駆動回路の動作を説明するための図
【発明を実施するための形態】
【００１０】
以下、本開示に係る照明装置の実施の形態を、図面に基づき説明する。なお、下記に開示される実施の形態はすべての点で例示であって、本開示に係る照明装置に制限を加える意図はない。
【００１１】
なお、下記に開示される実施の形態では、必要以上に詳細な説明は省略する場合がある。例えば、既によく知られた事項の詳細な説明や、実質的に同一の構成についての重複する説明を、省略する場合がある。これは、説明が不必要に冗長になるのを避けることで、当業者の理解を容易にするためである。
【００１２】
（実施の形態）
図１は、実施の形態に係る照明装置１０の構成を示すブロック図である。照明装置１０は、光源２０と、駆動回路５０と、を備える。図１には、照明装置１０に交流電力を供給する交流電源６０及び位相制御式の調光器７０も併せて示している。
【００１３】
照明装置１０は、調光器７０によって位相制御された交流電力の供給を受ける照明装置であり、例えば、電球、直管等の照明用光源、ダウンライト、シーリングライト、ペンダント、テーブルスタンド等の各種照明器具に用いられる。
【００１４】
交流電源６０は、交流を供給する電源であって、例えば１００Ｖの商用電源である。
【００１５】
調光器７０は、交流電源６０から入力された交流電圧を調光度に応じて位相制御する。具体的には、調光器７０は、調光度に応じて交流電圧を所定の位相角に達するまでオフにし、所定の位相角に達した後にオンする。調光器７０は、位相を制御する素子であるトライアック（図示せず）とトライアックにトリガ信号を出力する制御回路（図示せず）などを有する。なお、調光器７０は、ＩＧＢＴ（Ｉｎｓｕｌａｔｅｄ  Ｇａｔｅ  Ｂｉｐｏｌａｒ  Ｔｒａｎｓｉｓｔｏｒ）を有していてもよい。
【００１６】
図２は、調光器７０で位相制御された交流電圧の波形を示す図である。なお、図２の（ａ）は、調光度が１００％の場合における波形を示す。図２の（ｂ）は、調光度が８０％の場合における波形を示す。図２の（ｃ）は、調光度が５０％の場合における波形を示す。図２の（ａ）から図２の（ｃ）において、横軸が位相角［ｄｅｇｒｅｅ］を、縦軸が電圧［Ｖ］を示している。図２には、トレーリングエッジタイプの調光器によって位相制御された交流電圧の例を示したが、これに限らない。調光器は、位相制御式の調光器であればよく、例えば、リーディングエッジタイプであってもよい。
【００１７】
調光器７０を安定して動作させるためには、所定値以上の保持電流を駆動回路５０から調光器７０に供給する必要がある。トライアックは、制御回路から出力される信号によりオンとなり（導通を開始）、交流電圧が０Ｖになるとオフとなる。調光器７０に必要な保持電流が流れなくなるとトライアックがオフしてしまい、位相角の異なる交流電圧が駆動回路５０に出力される。また、調光器７０への入力電圧が０Ｖに到達した際に調光器７０の負荷側（駆動回路５０側）に電圧が残っている場合、調光器７０は、位相制御における次サイクルへの移行ポイントであるゼロクロスポイントを検知できなくなり動作が不安定になる。調光器７０の動作が不安定になると、調光器７０から不安定な交流電圧が駆動回路５０に出力される。駆動回路５０は、調光器７０から出力される交流電力に応じて光源２０を調光する。そのため、駆動回路５０に位相角の異なる交流電圧や不安定な交流電圧が周期的に入力されると照明装置１０はちらつきを生じ、ユーザーにとって不快となる。これを防止するため、駆動回路５０には調光器７０を正常に動作させるために、調光器７０にブリーダ電流を供給するブリーダ回路が設けられている。詳細については後述する。
【００１８】
光源２０は、電流の供給を受けて発光する素子であり、例えば、ＬＥＤ、ＥＬ（Ｅｌｅｃｔｒｏｎｉｃ  Ｌｕｍｉｎｅｓｃｅｎｔ）等の固体発光素子である。
【００１９】
駆動回路５０は、調光器７０に接続され、調光器７０で位相制御された交流電力に基づいて光源２０を点灯させる。駆動回路５０は、整流回路５５と、コンデンサＣ１（第１のコンデンサ）と、検知回路５６と、ダイオードＤ１と、調光回路５７と、を有する。
【００２０】
整流回路５５は、交流電源６０から調光器７０を介して入力される位相制御された交流電力を直流電力に整流する。なお、ここでいう位相制御された交流電力とは、調光器７０によって調光度を０％〜１００％に調整された交流電力のことをいう。整流回路５５は、例えば４個のダイオードなどで構成される。また、整流回路５５の入力側には突入電流防止抵抗（図示せず）が接続されている。突入電流防止抵抗の抵抗値は、例えば２０Ωである。
【００２１】
コンデンサＣ１は、整流回路５５で整流された直流電力を平滑する。コンデンサＣ１は、整流回路５５の出力端子間に接続されている。コンデンサＣ１の静電容量は、例えば０．１μＦである。
【００２２】
検知回路５６は、整流回路５５とコンデンサＣ１とで整流平滑された電圧に応じた検知信号を生成する回路である。つまり、検知回路５６は、駆動回路５０に入力される交流電圧の位相を検知し、検知した位相に応じた検知信号を生成している。検知回路５６は、例えばスイッチング素子、抵抗、ダイオード、コンデンサなどで構成される。検知回路５６は、整流回路５５の出力端子間にコンデンサＣ１と並列に接続されている。検知回路５６で生成された検知信号は、調光回路５７の制御回路５８に出力される。
【００２３】
ダイオードＤ１は、整流回路５５とコンデンサＣ１で整流平滑された直流電流の逆流を防止する整流素子である。ダイオードＤ１は、入力端子が整流回路５５の高電位側の出力端子に接続され、出力端子が調光回路５７に接続されている。これにより、ダイオードＤ１の後段回路である調光回路５７からダイオードＤ１の前段回路である検知回路５６への電流の逆流が防止される。
【００２４】
調光回路５７は、検知回路５６から入力される検知信号と、ダイオードＤ１を介して入力される直流電力に基づいて光源２０に電流を供給する。調光回路５７は、コンデンサＣ２（第２のコンデンサ），Ｃ３と、ノイズフィルタＮＦと、制御回路５８と、スイッチング素子Ｑ１と、点灯回路５９と、を有する。
【００２５】
コンデンサＣ２，Ｃ３とノイズフィルタＮＦは、ダイオードＤ１から入力される直流電力をさらに平滑化するとともに、ダイオードＤ１から入力される直流電力に含まれるノイズ、調光回路５７で発生するノイズを除去する。コンデンサＣ２，Ｃ３は、コンデンサＣ１と並列接続されている。
【００２６】
制御回路５８とスイッチング素子Ｑ１は、検知回路５６から入力される検知信号に基づき、点灯回路５９に流れる電流を制御する。制御回路５８は、例えば制御ＩＣ（Ｉｎｔｅｇｒａｔｅｄ  Ｃｉｒｃｕｉｔ）、コンデンサ、抵抗、ダイオードなどで構成される。スイッチング素子Ｑ１は、例えばＦＥＴ（Ｆｉｅｌｄ  Ｅｆｆｅｃｔ  Ｔｒａｎｓｉｓｔｏｒ）である。制御回路５８は、検知信号に応じてスイッチング素子Ｑ１のオンとオフを制御する。
【００２７】
また、制御回路５８は、ブリーダ回路５１を有する。ブリーダ回路５１は、調光器７０が接続されている場合に、調光器７０が正常に動作するためのブリーダ電流を供給する回路である。例えば、調光器７０に入力される交流電圧が０Ｖになった際、駆動回路５０に電荷がのこっていると、調光器７０から出力される交流電圧が０Ｖ以上となる。そのため、調光器７０は位相の反転を検知できなくなるため位相制御が不安定になり、不安定な交流電圧が駆動回路５０に供給される。その結果として光源２０がちらつくなどの不具合が生じる。そこでブリーダ回路５１をオンすることで、例えばコンデンサＣ１の電荷を放電し、交流電圧の０Ｖ付近の位相と、調光器７０に入力される位相と、調光器７０から出力される位相を合致させる。これにより調光器７０内部の信号のずれを矯正することで、光源２０がちらつくなどの不具合を回避できる。
【００２８】
点灯回路５９は、制御回路５８によるスイッチング素子Ｑ１の制御に基づき、光源２０に電流を供給する。点灯回路５９は、例えばチョークコイル、ダイオード、コンデンサ、抵抗などで構成される。
【００２９】
以上が駆動回路５０の回路構成である。
【００３０】
次に、駆動回路５０の動作について説明する。
【００３１】
調光器７０で位相制御された交流電力は、整流回路５５で整流され、コンデンサＣ１で平滑される。整流回路５５とコンデンサＣ１で整流平滑された直流電圧は、調光回路５７と検知回路５６に入力される。
【００３２】
検知回路５６は、駆動回路５０に入力される交流電圧の位相に応じた検知信号を生成し、生成した検知信号を制御回路５８に出力する。
【００３３】
制御回路５８は、入力された検知信号に応じてスイッチング素子Ｑ１のオンとオフを制御する。
【００３４】
図３は、制御回路５８によるスイッチング素子Ｑ１の制御を説明するための図である。
【００３５】
図３の（ａ）は、調光器７０によってある位相角に位相制御されて、検知回路５６に入力される電圧（実線）及び電流（破線）の波形を示す。図３の（ｂ）は、図３の（ａ）に示す電圧に応じて検知回路５６で生成された検知信号の電圧と調光閾値電圧Ｖｔｄを示している。図３の（ｃ）は、検知信号の電圧と調光閾値電圧Ｖｔｄとの比較結果を示している。図３の（ａ）、（ｂ）に示すように、検知回路５６は、入力される電圧波形に応じた検知信号を生成する。
【００３６】
図３の（ｂ）に示すように、制御回路５８は、入力された検知信号の電圧と予め設定されている調光閾値電圧Ｖｔｄとを比較する。ここで、検知信号の電圧が調光閾値電圧Ｖｔｄよりも大きい期間を期間Ｔｃ、交流電圧の一周期を一周期Ｔｓとする。なお、一周期Ｔｓは、交流電源６０の周波数によって定まる値であり、交流電源６０の周波数が６０Ｈｚの場合、８．３３ｍｓである。
【００３７】
制御回路５８は、検知信号の電圧と調光閾値電圧Ｖｔｄとを比較し、一周期Ｔｓに対する期間Ｔｃの割合（Ｔｃ／Ｔｓ、以下、デューティ比という）を計算する。制御回路５８は、例えば検知信号の電圧が調光閾値電圧Ｖｔｄより大きい場合、Ｈｉｇｈ信号を出力し、検知信号の電圧が調光閾値電圧Ｖｔｄより小さい場合、Ｌｏｗ信号を出力する。期間Ｔｃは、Ｈｉｇｈ信号が出力されている期間のことである。制御回路５８は、デューティ比の大きさに応じてスイッチング素子Ｑ１のオンとオフを制御し、点灯回路５９に流れる電流の大きさを制御する。具体的には、制御回路５８は、デューティ比が大きいほど点灯回路５９に流れる電流が大きくなるよう、スイッチング素子Ｑ１を制御する。点灯回路５９に流れる電流が大きいほど、光源２０に流れる電流が大きくなるので、光源２０の輝度は高くなる。一方、デューティ比が小さい場合は点灯回路５９に流れる電流が小さくなるため、光源２０に流れる電流も小さくなり、光源２０の輝度は低くなる。
【００３８】
つまり、駆動回路５０は、位相制御された交流電圧に応じた検知信号を生成してスイッチング素子Ｑ１のオンとオフを制御し、光源２０に供給する電流を調整することで光源２０の輝度を調整している。
【００３９】
次に、駆動回路５０において、調光器７０が接続されている場合と、接続されていない場合におけるブリーダ回路５１の制御について説明する。
【００４０】
制御回路５８は、コンデンサＣ１の電圧と、ブリーダ閾値電圧Ｖｂｌ（閾値電圧）とを比較し、比較結果に基づいて調光器７０の接続の有無を判断し、ブリータ回路５１の開閉（オンとオフ）を制御する。
【００４１】
図４は、コンデンサＣ１の電圧とブリーダ閾値電圧Ｖｂｌを示す図である。なお、図４の（ａ）は、調光器７０が接続された場合におけるコンデンサＣ１の電圧とブリーダ閾値電圧Ｖｂｌを示す図である。図４の（ｂ）は、調光器７０が接続されていない場合におけるコンデンサＣ１の電圧とブリーダ閾値電圧Ｖｂｌを示す図である。図４の（ｃ）は、図４の（ａ）と図４の（ｂ）を重ね合わせた図である。図４の（ａ）から図４の（ｃ）において、一点鎖線がブリーダ閾値電圧Ｖｂｌを示している。また、図４の（ｃ）の重なり部以外において、破線が図４の（ａ）を示しており、実線が図４の（ｂ）を示している。また、図４の（ａ）では、調光度は１００％に調整されている。
【００４２】
図４に示すように、整流回路５５で整流された直流電圧はコンデンサＣ１で平滑され、リップルを有している。また、調光器７０を駆動回路５０に接続すると時定数が変化するため、調光器７０を駆動回路５０に接続した場合と接続しない場合とでは、リップルの大きさが異なる。具体的には、図４に示すように、調光器７０を駆動回路５０に接続すると、コンデンサＣ１のリップルが大きくなる。つまり、調光器７０の接続の有無によってコンデンサＣ１のリップルに電圧差が生じる。
【００４３】
ここで、ブリーダ閾値電圧Ｖｂｌは、予め設定される値である。そして、ブリーダ閾値電圧Ｖｂｌは、調光器７０が接続されている場合におけるコンデンサＣ１のリップルの最小値よりも大きく、かつ、調光器７０が接続されていない場合におけるコンデンサＣ１のリップルの最小値よりも小さい値に設定されている。
【００４４】
これにより、コンデンサＣ１の電圧とブリーダ閾値電圧Ｖｂｌとを比較することで、駆動回路５０に調光器７０が接続されているか接続されていないかを判断できる。
【００４５】
そして、図４の（ａ）に示すように、コンデンサＣ１のリップルの最小値がブリーダ閾値電圧Ｖｂｌよりも小さい場合、駆動回路５０は、調光器７０が接続されていると判断し、ブリータ回路５１をオンする（開く）。これにより、調光器７０に入力される交流電圧が０Ｖになった際、駆動回路５０に電荷が残っていても、駆動回路５０は、交流電圧の０Ｖ付近の位相と、調光器７０に入力される位相と、調光器７０から出力される位相を合致させることができる。その結果、調光器７０内部の信号のずれが矯正され、光源２０がちらつくといった不具合が回避される。
【００４６】
一方、図４の（ｂ）に示すように、コンデンサＣ１のリップルの最小値がブリーダ閾値電圧Ｖｂｌよりも大きい場合、駆動回路５０は、調光器７０が接続されていないと判断し、ブリーダ回路５１をオフする（閉じる）。そのため、調光器７０が接続されている場合と比較して、ブリーダ回路５１を動作させない分、回路効率の低下が抑制される。
【００４７】
次に、比較例に係る照明装置１０Ａについて、図５、図６を用いて説明する。
【００４８】
図５は、比較例に係る照明装置１０Ａの構成を示すブロック図である。照明装置１０Ａは、駆動回路５０Ａの構成が駆動回路５０の構成と異なる。具板的には、駆動回路５０Ａは、コンデンサＣ１を有さない点で駆動回路５０と異なり、その他の構成は同一である。
【００４９】
図６は、比較例に係る駆動回路５０Ａの動作を説明するための図である。図６には、整流回路５５から出力される直流電圧とブリーダ閾値電圧Ｖｂｌが示されている。なお、図６は、調光器７０が接続されていない場合における整流回路５５から出力される直流電圧をしめしており、調光器７０が接続されている場合でも、整流回路５５から出力される直流電圧の波形は図６とほぼ同じである。
【００５０】
駆動回路５０Ａは、コンデンサＣ１を有していないため、図６に示すように整流回路５５から出力される直流電圧は平滑されていない。そのため、駆動回路５０Ａでは、調光器７０が接続されていない場合であっても、整流回路５５から出力された直流電圧がブリーダ閾値電圧Ｖｂｌよりも小さくなる期間Ｔｅｘが生じる、つまり、駆動回路５０Ａでは、調光器７０が接続されていても、接続されていなくても、ブリーダ回路５１はオンしている。そのため、調光器７０が接続されていない場合であっても、ブリーダ回路５１が動作することにより回路効率が低下する。
【００５１】
一方、駆動回路５０はコンデンサＣ１を有するため、調光器７０が接続されていない場合はブリーダ回路５１をオフする。そのため、駆動回路５０では、調光器７０が接続されていない場合において、回路効率の低下が抑制される。具体的には、駆動回路５０は、調光器７０が接続されていない場合において、ブリーダ回路をオフにするため、駆動回路５０Ａよりも回路効率の低下を８％程度抑制している。なお、ここでいう回路効率とは、駆動回路から光源２０に出力される電力を駆動回路に入力される電力で割ることで求められる。
【００５２】
以上のように、本実施の形態に係る駆動回路５０は、整流回路５５から入力される直流電圧を平滑するコンデンサＣ１を有する。駆動回路５０は、コンデンサＣ１のリップル電圧差とブリーダ閾値電圧Ｖｂｌに基づいて、駆動回路５０に調光器７０が接続されているか、接続されていないかを判断する。そして、駆動回路５０は、調光器７０が接続されていないと判断した場合は、ブリーダ回路をオフにし、ブリーダ電流の供給を停止する。そのため、駆動回路５０では、コンデンサＣ１を有しない駆動回路５０Ａよりも回路効率の低下が抑制される。
【００５３】
また、コンデンサＣ１は、整流回路５５から入力される直流電力を平滑するだけでなく、検知回路５６で発生するノイズが照明装置１０外に漏れ出すことを抑制している。そのため、コンデンサＣ１の静電容量は照明装置としてのノイズ特性を考慮して選定される必要がある。また、静電容量が大きくなるほどコンデンサのサイズがおおきくなるため、回路の設置スペースも考慮して適切な静電容量を有するコンデンサを選択する必要がある。さらに、コンデンサの静電容量は、コンデンサの種類、使用される電圧条件や温度条件で変化する。そのため、使用条件を考慮して静電容量を決定する必要がある。なお、コンデンサの種類としては、高分子タンタル電界コンデンサ、高分子アルミ電解コンデンサ、フィルムコンデンサ、積層セラミックコンデンサなどがある。
【００５４】
［変形例］
以上、本実施の形態に係る照明装置１０について説明したが、本開示は上記実施の形態に限定されない。本開示の趣旨を逸脱しない限り、当業者が思いつく各種変形を上記実施の形態に施したものも、本開示の範囲内に含まれる。
【００５５】
本実施の形態では、コンデンサＣ１のリップル電圧差とブリーダ閾値電圧Ｖｂｌに基づいて駆動回路５０に調光器７０が接続されているか、接続されていないかを判断した。これに対し、例えば検知信号とブリーダ閾値電圧Ｖｂｌに基づいて調光器７０が接続されているか、接続されていないかを判断してもよい。
【００５６】
検知回路５６には、コンデンサＣ１で平滑された直流電圧が入力される。そして、検知回路５６で生成される検知信号は、コンデンサＣ１の電圧波形が反映される（図３参照）。そのため、検知回路５６が生成する検知信号の電圧もコンデンサＣ１と同様にリップルを有している。ここで、例えばブリーダ閾値電圧Ｖｂｌを調光器７０が接続されている場合（調光度１００％）における検知信号のリップルの最小値よりも大きく、かつ、調光器７０が接続されていない場合における検知信号のリップルの最小値よりも小さい値に設定する。これにより、検知信号の電圧とブリーダ閾値電圧Ｖｂｌとを比較することで、駆動回路５０に調光器７０が接続されているか、接続されていないかを判断できる。
【符号の説明】
【００５７】
１０    照明装置
２０    光源
５０    駆動回路
５１    ブリーダ回路
５５    整流回路
５６    検知回路
５７    調光回路
Ｃ１    コンデンサ（第１のコンデンサ）
Ｃ２    コンデンサ（第２のコンデンサ）
Ｄ１    ダイオード
【図１】
2020194744.tif 000003
【図２】
2020194744.tif 000004
【図３】
2020194744.tif 000005
【図４】
2020194744.tif 000006
【図５】
2020194744.tif 000007
【図６】
2020194744.tif 000008